(57)【特許請求の範囲】
【請求項１】
股部（５）を挟んだ左右両側に一対の脚通し部（６）が設けられていると共にこれらの股上側にウエスト部（２Ｄ）が設けられた身頃部（１０）を具備して成る身頃本体（２）と、この身頃本体（２）の前側及び後側の内面に沿って設けられ上記左右の脚通し部（６）に各別に対応する脚通孔（１２）が形成されている裏打ち布（３）とを有する下半身用衣類において、
上記裏打ち布（３）は伸縮性生地によって形成されており、且つ、
身頃本体（２）の前側内面でウエスト部（２Ｄ）の周方向に沿って形成される前方上部縫着部（２２）と、
身頃本体（２）の左右の脚通し部（６）の隣接間内面に対応して左右の脚通孔（１２）間を結ぶように形成される下部縫着部（２３）と、
身頃本体（２）の後側内面でウエスト部（２Ｄ）の周方向に沿って形成される後方上部縫着部（２４）と、
身頃本体（２）の後側内面における左右中央部で上記後方上部縫着部（２４）と下部縫着部（２３）との上下間を縦方向に結んで形成される中央縦縫着部（２５）と
で当該身頃本体（２）と縫着されており、
少なくとも上記脚通孔（１２）の開口周部が身頃本体（２）の脚通し部（６）内面に拘束を受けない下部自由端縁（２６）として形成されていると共に、
前記裏打ち布（３）は、個々の脚通孔（１２）を形成する下部自由端縁（２６）の周長が、身頃本体（２）の個々の脚通し部（６）の内周長よりも短い寸法で形成されている
ことを特徴とする下半身用衣類。
【請求項２】
前記裏打ち布（３）の下部自由端縁（２６）は、脚通孔（１２）の周長方向へ伸びる前後の伸縮率が１０〜２０％に設定されていることを特徴とする請求項１記載の下半身用衣類。
【請求項３】
前記裏打ち布（３）には、身頃本体（２）の後側内面に対応する領域内にパワー切換部（３０）が設けられており、このパワー切換部（３０）を介して伸縮パワーの強い領域と弱い領域とが区画形成されていることを特徴とする請求項１又は請求項２記載の下半身用衣類。
【請求項４】
前記パワー切換部（３０）は、着用者の大殿筋を覆う領域を取り囲む状態に設けられており、この取り囲み内側の領域が伸縮パワーの弱い領域とされていることを特徴とする請求項３記載の下半身用衣類。
【請求項５】
前記裏打ち布（３）の下部自由端縁（２６）はヘムレス仕上げとされていることを特徴とする請求項１乃至請求項４のいずれかに記載の下半身用衣類。
【請求項６】
スラックス、パンツ、タイツ、スパッツ、ガードル、ボディスーツのいずれかであることを特徴とする請求項１乃至請求項５のいずれかに記載の下半身用衣類。
【発明の詳細な説明】
【技術分野】
【０００１】
本発明は、スラックス、パンツ、タイツ、スパッツ、ガードル、ボディスーツ等の下半身用衣類に関するものである。
【背景技術】
【０００２】
ガードル等に代表される下半身用衣類において、ヒップアップなどの補整機能を有したものは公知である（例えば、特許文献１や２等参照）。
この下半身用衣類がガードルのように丈の短いタイプである場合、身頃本体は、股位置より上位側（即ち、股上側）であってウエスト部より下位側となる範囲で形成される。当然、この身頃本体には股部を挟んだ左右両側に一対の脚通し部（開口）が設けられている。一方、下半身用衣類がタイツのように丈の長いタイプである場合、身頃本体は、左右の各脚通し部から股位置の下位側（即ち、股下部）へ延びる部分（脚用の袖部）をも有したものとなる。いずれも、身頃本体を形成する表地に対し、その内側（裏側）に、補整機能を生じさせるための裏地を重ね合わせるようになっている。
【０００３】
従来公知の補整機能付き下半身用衣類の一つには、表地と裏地との重合間に対し、着用者の身体（ヒップトップ）のライン変化に追随可能な空間を形成させるように、これら表地の形と裏地の形とを適正に設計したものがある（上記特許文献１）。具体的には、表地と裏地とは、股下と左右の脇線、ウエストラインで縫着され、その他の部位は縫着しない構造であった。これによれば、着用者に補整力への不満感、不快感、違和感を与えないようにするといった作用効果があるとされている。
【０００４】
また別の補整機能付き下半身用衣類には、身頃本体のうちの前身頃において、表布（上記表地に同じ）と、裏布（上記裏地に同じ）とを、上辺部、左右両脇部、股部で縫着し、他の部分、即ち、足口を含む下方部では遊離させるようにしたものがある（上記特許文献２）。これによれば、着用者の脚（大腿付け根）をきつく締め付けることがないといった作用効果があるとされている。
【特許文献１】特許第３１４７３３１号公報
【特許文献２】特開２００４−３３２１３９号公報
【発明の開示】
【発明が解決しようとする課題】
【０００５】
従来公知の補整機能付き下半身用衣類では、表地と裏地（表布と裏布）との縫着部が表地を介して外側への膨らみ（凸線）として現れ、見栄えが悪くなる欠点があった。殊に、ヒップアップ作用を生じさせるための裏地の場合（特許文献１）、着用者のヒップを持ち上げる作用を積極的に生じさせなければならず、それ故、左右両脇部（左方横面及び右方横面）で縦方向に現れる縫着部には、着用者の背側へ向けて斜め上方への引きつり状の皺が発生するようなこともあった。これでは補整機能が強く現れているといったことを他人に簡単に悟られてしまい、着用者が気まずい思いをするという欠点にも繋がっていた。
【０００６】
これらのことは、ヒップアップ作用を高める目的で、後身頃において、股部から左右外方へ向かう位置（即ち、脚を通す部分の裾位置）に表地と裏地との縫着部を形成させた場合、更に顕著に起こることになっていた。また表地と裏地との滑りが十分でないため、着用者の動きに十分に追従できず、補整機能の不足や着心地の悪さ等を招来する欠点もあった。
【０００７】
本発明は、上記事情に鑑みてなされたものであって、補整作用、殊にヒップアップ作用を十分に生起でき、しかも補整作用を生じさせるための裏打ち布の縫着位置が外から認識されることなく、見栄えがよい下半身用衣類を提供することを目的とする。
【課題を解決するための手段】
【０００８】
前記目的を達成するために、本発明は次の手段を講じた。
即ち、本発明に係る下半身用衣類は、股部を挟んだ左右両側に一対の脚通し部が設けられていると共に、これらの股上側にウエスト部が設けられた身頃部を具備して成る身頃本体と、この身頃本体の前側及び後側の内面に沿って設けられ、且つ上記左右の脚通し部に各別に対応する脚通孔が形成されている裏打ち布とを有したものである。
【０００９】
裏打ち布は伸縮パワーの強い伸縮性生地によって形成されたものであり、前方上部縫着部と、下部縫着部と、後方上部縫着部と、中央縦縫着部とで身頃本体と縫着されている。
前方上部縫着部は、身頃本体の前側内面でウエスト部の周方向に沿って形成される部位であり、下部縫着部は、身頃本体の左右の脚通し部の隣接間内面に対応して左右の脚通孔間を結ぶように形成される部位であり、後方上部縫着部は、身頃本体の後側内面でウエスト部の周方向に沿って形成される部位であり、中央縦縫着部は、身頃本体の後側内面における左右中央部で上記後方上部縫着部と下部縫着部との上下間を縦方向に結んで形成される部位である。
【００１０】
このように前方上部縫着部、下部縫着部、後方上部縫着部、及び中央縦縫着部で裏打ち布と身頃本体とが縫着されていることから、少なくとも左右の脚通孔の開口周部が身頃本体の脚通し部内面に拘束を受けない下部自由端縁として形成されていることになる。
このような構成であるため、補整作用、殊にヒップアップ作用を十分に生起できるにも拘わらず、補整作用を生じさせるための裏打ち布の縫着位置が外から認識されることなく、見栄えがよいという利点が得られるものである。
【００１１】
裏打ち布は、個々の脚通孔を形成する下部自由端縁の周長が、身頃本体の個々の脚通し部の内周長よりも短い寸法となるように形成するのが好適とされる。
これにより、着用者が脚（大腿）を脚通孔へ入れたときに、脚まわりでのフィット性が高められることになり、ヒップアップ等の補整作用を十分に発現させることができる。
裏打ち布には、身頃本体の後側内面に対応する領域内にパワー切換部を設けて、このパワー切換部を介して伸縮パワーの強い領域と弱い領域とを区画形成することができる。
【００１２】
これにより、必要に応じた部位の伸縮パワー、即ち、補整作用を部分的に高めたり弱めたりできることになり、部位に応じたきめ細かい対応を図ることができる。また製品として、補整の種類に汎用性を持たせることもできる。
パワー切換部は大殿筋を覆う領域を取り囲む状態に設けるのが好適であり、この場合、パワー切換部によって取り囲まれる内側の領域を、伸縮パワーの弱い領域、すなわち、着用者のヒップを優しく包んで美しいヒップラインを生じさせる領域とすればよい。
【００１３】
裏打ち布の下部自由端縁は、ヘムレス仕上げとされている。このようにすることで、下部自由端縁の肉厚化や柔軟性の低下を防止でき、身頃本体側への影響を一層低く抑えられることになる。
本発明に係る下半身用衣類は、スラックス、パンツ、タイツ、スパッツ、ガードル、ボディスーツのいずれかとして実施すればよい。
【発明の効果】
【００１４】
本発明に係る下半身用衣類は、補整作用、殊にヒップアップ作用を十分に生起でき、しかもそのうえで、補整作用を生じさせるための裏打ち布の縫着位置が外から認識されることなく、見栄えがよい。
【発明を実施するための最良の形態】
【００１５】
以下、本発明の実施の形態を、図面に基づき説明する。
図１乃至図７は、本発明に係る下半身用衣類１をロングガードルに適用した場合の一実施形態を示している。図１及び図２から明らかなように、この下半身用衣類１は身頃本体２と裏打ち布３とを有しており（理解の便宜上、身頃本体２は二点鎖線で示した）、このうち身頃本体２は、股部５を挟んだ左右両側に一対の脚通し部６が設けられていると共に、これら股部５や脚通し部６より股上側となる位置に、ウエスト部１１が設けられたものとなっている。これら股部５、左右一対の脚通し部６、及びウエスト部１１を具備する範囲を、身頃本体２の主要部を成す身頃部１０とおく。
【００１６】
なお、身頃本体２の具体的な形状は、適用される衣類形体（ガードル等）に応じて適宜異なるものであって、例えば衣類形体としてボディスーツに適用させる場合であれば、身頃部１０の上部（ウエスト部１１を超えた上方）にも、着用者の腹部から胸部を覆う部分が設けられることになるし、また衣類形体としてタイツに適用させる場合であれば、身頃部１０の下部（左右の脚通し部６より下方）にも、着用者の脚を覆う部分が設けられることになる。この説明から、身頃本体２と身頃１０との概念的な違いを明確にすることができる。
【００１７】
この身頃本体２は、リップル、ベロア、綿天竺、ウール天竺、サテンネット、パワーネット、トリコット、ツーウエイトリコット、ツーウエイラッセル等により形成され、適度な伸縮性を有したものとなっている。
裏打ち布３は、身頃本体２の前側及び後側の内面に沿って設けられており、左右の脚通し部６に各別に対応して、それらの内部で開口する状態で脚通孔１２が形成されている。この裏打ち布３は、身頃本体２と同質であるか別材質であるかは限定されないが、伸縮性生地によって形成されていることが必要とされる。
【００１８】
図３は下半身用衣類１の分解斜視図であり、図４は下半身用衣類１を真上から見た状態で示した平面図である。また図５は、図４中のＡ−Ａ線矢視に対応させて展開し且つ生地パーツごとに分解した状態で示した裏面図である。これら各図から明らかなように、身頃本体２は、左身頃２Ａ、右身頃２Ｂ、前マチ２Ｃをそれらの隣接位置で互いに縫着すると共に、左身頃２Ａ及び右身頃２Ｂの後縁１３（前マチ２Ｃが縫着される側縁とは反対側の側縁）を縫着して筒状にし、更にこの上周部にウエストパーツ２Ｄを縫着することによって形成されている。
【００１９】
左身頃２Ａと右身頃２Ｂの後縁１３を縫着した位置が着用者の殿裂位置に対応するヒップセンターとなる。また左身頃２Ａ及び右身頃２Ｂにおいて、各後縁１３の下位置には下端幅（左右寸法）を広げるように鉤型に広がった張出部１４が形成されており、この張出部１４によって着用者の股部を覆う部分が形成される。
張出部１４より更に下位置は裾形成部１５とされ、この裾形成部１５を筒状に巻いてその両側縁１５ａ，１５ｂを互いに縫着することで、上記脚通し部６を形成させるようになっている。
【００２０】
これに対し、裏打ち布３は、左身頃２Ａの裏側に設けられる左半布３Ａと、右身頃２Ｂの裏側に設けられる右半布３Ｂとを有している。図６及び図７から明らかなように、左半布３Ａは左身頃２Ａのおおよそ上半部に対応する大きさとされており、左身頃２Ａの後縁１３に対応する部分（これを左半部３Ａの後縁１９とする）、及び張出部１４に対応する部分（これを左半部３Ａの張出部２０とする）は有するが、裾形成部１５に対応する部分は有していない。
【００２１】
また右半布３Ｂと右身頃２Ｂとについても同様であり、右身頃２Ｂの後縁１３に対応する部分（これを右半部３Ｂの後縁１９とする）、及び張出部１４に対応する部分（これを右半部３Ｂの張出部２０とする）は有するが、裾形成部１５に対応する部分は有していない。
このような身頃本体２と裏打ち布３とは、前方上部縫着部２２と、下部縫着部２３と、後方上部縫着部２４と、中央縦縫着部２５とにおいて、縫着されている。
【００２２】
前方上部縫着部２２や後方上部縫着部２４は、身頃本体２の前側内面及び後側内面でウエスト部１１の周方向に沿って形成される部位であって、本実施形態では、身頃本体２において左身頃２Ａと左半布３Ａ、及び右身頃２Ｂと右半布２Ｂを、ウエストパーツ２Ｄと縫着する部位（図５中に×印で示す）に相当させてある。
下部縫着部２３は、身頃本体２の左右の脚通し部６の隣接間内面に対応して左右の脚通孔１２間を結ぶように形成される部位であって、本実施形態では、身頃本体２において左身頃２Ａの張出部１４と左半布３Ａの張出部２０、及び右身頃２Ｂの張出部１４と右半布３Ｂの張出部２０を縫着し、股部５を形成する部位（図５中に●印で示す）に相当させてある。
【００２３】
中央縦縫着部２５は、身頃本体２の後側内面における左右中央部で、後方上部縫着部２４と下部縫着部２３との上下間を縦方向に結んで形成される部位であって、本実施形態では、身頃本体２において左身頃２Ａの後縁１３と左半布３Ａの後縁１９、及び右身頃２Ｂの後縁１３と右半布３Ｂの後縁１３を縫着し、上記ヒップセンターを形成する部位（図５中に△印で示す）に相当させてある。
【００２４】
このように前方上部縫着部２２、下部縫着部２３、後方上部縫着部２４、及び中央縦縫着部２５で裏打ち布３と身頃本体２とが縫着されていることから、裏打ち布３は、少なくとも左右の脚通孔１２の開口周部が身頃本体２の脚通し部６内面に拘束を受けない下部自由端縁２６として形成されていることになる。この下部自由端縁２６は、かがり縫い等を施してない（裁断したままの）ヘムレス仕上げとされている。そのため、下部自由端縁２６の肉厚化や柔軟性の低下等が防止されている。
【００２５】
図７に示すように、裏打ち布３には、身頃本体２の後側内面に対応する領域内にパワー切換部３０が設けられている。このパワー切換部３０を介して伸縮パワーの強い領域（強パワー領域３１）と弱い領域（弱パワー領域３２）とに、編み分けによって区画形成されている。このパワー切換部３０は、着用者の大殿筋を覆う領域を取り囲む状態に設けられ、このパワー切換部３０によって取り囲まれる内側の領域が弱パワー領域３２とされている。
【００２６】
強パワー領域３１と弱パワー領域３２との伸縮パワーの比率は任意に設定してもよいが、本実施形態では概ね３０％とした。これは身頃本体２の伸縮パワーと関連し、身頃本体２、強パワー領域３１、弱パワー領域３２のパワー比率は１００：１５０：５０である。
図８は、裏打ち布３の強パワー領域３１を身頃本体２へ縫着する場合の伸縮性について説明するため、右半布３Ｂを例に挙げてその強パワー領域３１だけを抽出した正面図であって、図８（Ｂ）がそれ自体の裁断形状（伸縮パワーが無負荷の状態）を示し、図８（Ａ）が着用時に伸縮パワーが作用した状態を示している。
【００２７】
この図８から明らかなように裏打ち布３の強パワー領域３１には、下部自由端縁２６へ近づけば近づくほど、その幅方向（この下部自由端縁２６は脚通孔１２を形成するところであるから脚通孔１２の周方向に相当）で伸縮パワーが高められている。このような伸縮性は、下部自由端縁２６に沿って互いに所定間隔でダーツ３５を設けることで簡単に達成できる。なお、各ダーツ３５を設けず、これらに相当する領域を伸縮パワーの強い領域として編み分けることでもよい。
【００２８】
強パワー領域３１において、下部自由端縁２６の伸びた後の長さをＨとおくとき、この長さＨは、身頃本体２における個々の脚通し部６の内周長と略同じ寸法になっている。すなわち、下部自由端縁２６の伸びる前の長さをｈとおけば、この長さｈは、身頃本体２における個々の脚通し部６の内周長よりも短い寸法となるように形成されている。
ここで、下部自由端縁２６の伸びる前後の長さ比として求められる伸縮率Ｓ（Ｓ＝（Ｈーｈ）／Ｈ×１００）は、１０〜２０％とするのが好適である。１０％に満たないと、強パワー領域３１の伸縮パワー不足に繋がり、十分な補整作用が得られないといった不具合を招来することになる。また２０％を超えると、強パワー領域３１における伸縮パワー過剰に繋がり、着用者に対して過度の締め付けによる圧迫感や不快感等を起こさせてしまうといった不具合を招来することになる。本実施形態では１５％が最適値であった。
【００２９】
以上、詳説したところから明らかなように、本発明に係る下半身用衣類１において、裏打ち布３は、少なくとも左右の脚通孔１２の開口周部が身頃本体２の脚通し部６内面に拘束を受けない下部自由端縁２６として形成されているため、補整作用、殊にヒップアップ作用を十分に生起できるにも拘わらず、裏打ち布３の縫着位置が外から認識されることなく、見栄えがよいという利点が得られる。
【００３０】
裏打ち布３の下部自由端縁２６の周長が、身頃本体２の個々の脚通し部６の内周長よりも短く形成されていれば、着用者が脚（大腿）を脚通孔１２へ入れたときに、脚まわりでのフィット性が高められることになり、ヒップアップ等の補整作用を十分に発現させることができる。
裏打ち布３の所定部位にパワー切換部３０を設け、着用者の大殿筋を覆う領域内を弱パワー領域３２とすることにより、着用者のヒップについては優しく包んで美しいヒップラインを生じさせ、それ以外では十分な補整作用を生じさせるといった、きめ細かい対応を図ることができ、また製品としても、補整の種類に汎用性を持たせることができる。
【００３１】
裏打ち布３の下部自由端縁２６をヘムレス仕上げとすれば、下部自由端縁２６の肉厚化や柔軟性の低下を防止でき、身頃本体２側への影響を一層低く抑えられる利点に繋がる。
【実施例】
【００３２】
身頃本体２として、柄パワーネット（ナイロン５６％、ポリウレタン２５％、ポリエステル１９％）を用い、裏打ち布３として、強パワー領域３１がプレーンパワーネット（ナイロン８５％、ポリウレタン１５％）で、弱パワー領域３２が径編み、ラッセル（ナイロン９５％、ポリウレタン５％）であるものを用いて、本発明に係る下半身用衣類１を製作した。裏打ち布３における強パワー領域３２の伸縮パワーはタテが２８０ｇ／３０％伸びで、ヨコが５９０ｇ／３０％伸びであった。この下半身用衣類１は、補整作用、殊にヒップアップ作用を十分に生起でき、しかも補整作用を生じさせるための裏打ち布の縫着位置が外から認識されることなく、見栄えがよいものであった。
【００３３】
ところで、本発明は、上記実施形態に限定されるものではなく、実施の形態に応じて適宜変更可能である。下半身用衣類１は、スラックス、パンツ、タイツ、スパッツ、ガードル、ボディスーツなどとして実施すればよい。
【図面の簡単な説明】
【００３４】
【図１】本発明に係る下半身用衣類の一実施形態を示した正面図である。
【図２】図１に対応する背面図である。
【図３】図１に対応する分解斜視図である。
【図４】図２に対応する平面図である。
【図５】図４中のＡ−Ａ線矢視に対応させて下半身用衣類を展開し且つ生地パーツごとに分解した状態で示した裏面図である。
【図６】右身頃とこれに対応する裏打ち布を分解して示した正面図である。
【図７】図６に示した裏打ち布を拡大して示した正面図である。
【図８】裏打ち布の伸縮パワー大の部分を身頃本体へ縫着する場合の伸縮性について説明した正面図である。
【符号の説明】
【００３５】
１  下半身用衣類
２  身頃本体
２Ｄ  ウエスト部
３  裏打ち布
５  股部
６  脚通し部
１０  身頃部
１２  脚通孔
２２  前方上部縫着部
２３  下部縫着部
２４  後方上部縫着部
２５  中央縦縫着部
２６  下部自由端縁
３０  パワー切換部
３１  強パワー領域（伸縮パワーの強い領域）
３２  弱パワー領域（伸縮パワーの弱い領域）
【図１】
0004519049.tif 000002
【図２】
0004519049.tif 000003
【図３】
0004519049.tif 000004
【図４】
0004519049.tif 000005
【図５】
0004519049.tif 000006
【図６】
0004519049.tif 000007
【図７】
0004519049.tif 000008
【図８】
0004519049.tif 000009